(57)【特許請求の範囲】
【請求項１】
縦壁に固設されたケースと、前記ケースに進退自在に係合した主ホルダと、前記主ホルダに形成された凹所と共働して飲料容器を支持するべく、前記ケースの進退方向に延在する回転軸回りに回動可能に前記主ホルダに枢着され、その遊端が前記回転軸の下方に位置する格納位置と前記遊端が前記回転軸の側方に位置する使用位置との間で回動可能な副ホルダとを有するカップホルダであって、
使用位置側へ向けての回動力を前記副ホルダに常時加えるための弾発付勢手段と、
前記副ホルダから前記ケースの後退方向へと延出する延出部と、
前記ケースの内面に設けられた突条と、
前記突条に係合して前記主ホルダの後退移動に応じて前記副ホルダを格納位置へ向けて回動させるべく前記延出部に設けられた螺旋突条とを有すると共に、
少なくとも前記ケースの外方へ前記主ホルダを引き出した引き出し位置では前記突条と前記螺旋突条との係合が断たれて前記副ホルダの下向き回動が許容されるようにしてなることを特徴とするカップホルダ。
【発明の詳細な説明】
【０００１】
【発明の属する技術分野】
本発明は、カップホルダに関し、特に自動車のインストルメントパネルの垂直面に設けるのに適したカップホルダに関するものである。
【０００２】
【従来の技術】
アウタケース内に収納及び引き出し可能なホルダ本体と、ホルダ本体の作動方向に沿って延在する軸上で回動可能なサブアームとを有し、アウタケース内からホルダ本体を引き出すと、ホルダ本体のアーチ部とサブアームのサブアーチ部とが共働してリング状のカップ保持部を形成するようにしてなる自動車用カップホルダが、特開平６−３２８９７５号公報に提案されている。
【０００３】
上記公報に記載の構造は、ホルダ本体に枢着したサブアームに設けたピニオンが、アウタケースに設けたラックと噛合し、アウタケースからホルダ本体を引き出すと、使用位置へ向けてサブアームが回動し、アウタケース内へホルダ本体を押し込むと、格納位置へ向けてサブアームが回動するようになっている。
【０００４】
【発明が解決しようとする課題】
この構造によると、アウタケースに対するホルダ本体の位置に応じてサブアームの回動角度が定まっており、例えば使用位置にあるサブアームのサブアーチ部の外周に下向きの力が加わると、サブアームのピニオンがアウタケースのラックに噛合しているため、ホルダ本体が引き込み方向に駆動されてしまう。
【０００５】
本発明は、このような先行技術の問題点を解消するべく案出されたものであり、その主な目的は、使用位置にあるカップ保持部の回動部材の外周に下向きの力が加わっても、何ら支障を生ずることのないように改良されたカップホルダを提供することにある。
【０００６】
【課題を解決するための手段】
このような目的を果たすために、本発明においては、縦壁に固設されたケース（２）と、ケースに進退自在に係合した主ホルダ（６）と、主ホルダに形成された凹所（９）と共働して飲料容器を支持するべく、ケースの進退方向に延在する回転軸回りに回動可能に主ホルダに枢着され、その遊端が回転軸の下方に位置する格納位置と遊端が回転軸の側方に位置する使用位置との間で回動可能な副ホルダ（７）とを有するカップホルダを、使用位置側へ向けての回動力を副ホルダに常時加えるための弾発付勢手段（ねじりコイルばね１３）と、副ホルダから前記ケースの後退方向へと延出する延出部（１４）と、ケースの内面に設けられた突条（実施の形態中の主ホルダの移動方向に沿う直線突条１６）と、この突条に係合して主ホルダの後退移動に応じて副ホルダを格納位置へ向けて回動させるべく延出部に設けられた螺旋突条（１５）とを有すると共に、少なくともケースの外方へ主ホルダを引き出した引き出し位置では両突条同士の係合が断たれて副ホルダの下向き回動が許容されるようにしてなることを特徴とするものとした。
【０００７】
このようにすれば、副ホルダは、主ホルダの前進移動に伴って主ホルダの凹所と共働して容器保持部を画成する使用位置へと移動する。そして副ホルダに下向きの力が加わった場合には、弾発付勢手段の付勢力との釣り合いに応じて副ホルダが下向きに回動し得るので、副ホルダの支持部に無理な力が加わらずに済み、破損の心配が無い。
【０００８】
【発明の実施の形態】
以下に添付の図面を参照して本発明について詳細に説明する。
【０００９】
図１は、本発明に基づき構成されたカップホルダの全体を示している。このカップホルダ１は、例えば自動車のインストルメントパネルの垂直面に配設されるものであり、インストルメントパネル（図示せず）の内側に固定されるケース２に対し、前後方向スライド自在に取り付けられている。なお、本実施例では、カップホルダ１に灰皿３を隣接配置し、カップホルダ１の収容部と共に灰皿収容部４をケース２に一体形成しているが、カップホルダ１のみの構成としても良いことは言うまでもない。
【００１０】
カップホルダ１は、図２に併せて示すように、ケース２の側壁内面に形成されたガイドレール５に摺合した１つの主ホルダ６と、９０度の範囲に渡って回動自在なように主ホルダ６の両側部に枢着された２つの副ホルダ７とを備えている。そして主ホルダ６の前面には、その収納位置でインストルメントパネルと同一面となるように、フロントパネル８が一体形成されている。
【００１１】
主ホルダ６には、中央へ向けて窪められた２つの凹所９が形成されている。これにより、中央の隔壁１０と底板１１とからなる飲料容器の受容部が画成されている。
【００１２】
副ホルダ７は、図３に示したように、主ホルダ６の凹所９に受容される飲料容器（図示せず）の外側面を支持するための半円弧状をなすアーチ板１２を備え、その前後端が、前後方向に延在する軸線Ａ上で主ホルダ６に枢支されるようになっている。また副ホルダ７は、その軸線Ａ上に巻装されたねじりコイルばね１３により、アーチ板１２を上向きに跳ね上げるように常時回動付勢されている。
【００１３】
アーチ板１２の後端部には、軸線Ａと同軸の軸方向延出部１４が設けられている。この延出部１４の外周面には、主ホルダ６と一体の前後方向変位を副ホルダ７の回動変位に変換するための螺旋突条１５が形成されている。そしてケース２の側壁内面に形成された前後方向直線突条１６の下面に螺旋突条１５が係合するようになっている。
【００１４】
上記の如く構成されたカップホルダ１において、フロントパネル８に指を掛けてケース２から主ホルダ６を前方へ引き出すと、副ホルダ７は、軸方向延出部１４の螺旋突条１５がケース２の側壁内面の直線突条１６に係合しているので、これがケース２内にある間は、図２の左側に示した格納位置、つまりアーチ板１２を下方に位置させた状態を維持するようになっている。そしてケース２の側壁に干渉しない位置まで主ホルダ６が引き出されると、アーチ板１２の外周端を上向きに回動させ始め、ケース２から主ホルダ６を完全に引き出すと、図２の右側に示したように、アーチ板１２の外周面が垂直面に沿う使用位置にまで回動するようになっている。このようにして、主ホルダ６の凹所９とアーチ板１２との間に、水平面上での内周輪郭が概ね円形をなす飲料容器の保持空間が画定される。
【００１５】
主ホルダ６をケース２内に押し込むと、直線突条１６の下面で螺旋突条１５が押され、主ホルダ６の後退移動に従って副ホルダ７はそのアーチ板１２の外周側を下向きに回動させる。そしてケース２内に主ホルダ６を一杯に押し込むと、図２の左側の格納位置まで副ホルダ７が回動して主ホルダ６の凹所９内に格納される。このようにして、不使用時の幅寸法の低減が図られている。
【００１６】
ここで副ホルダ７には、ねじりコイルばね１３による使用位置へ向けての回転力が常時作用しており、使用位置の保持力は専らばね力に依存している。従って、使用位置にある副ホルダ７のアーチ板１２に下向きの力が加わると、ばね１３が撓み、副ホルダ７は格納位置へ向けて回動し得る。これにより、使用位置にある副ホルダ７に下向きの力が加わっても、副ホルダ７が破損する心配がない。また、副ホルダ７は、主ホルダ６の進退移動中にケース２内面に接触せず、その意匠面に擦り傷などを生ぜずに済む。
【００１７】
【発明の効果】
このように本発明によれば、主ホルダから外方へ突出した副ホルダによって飲料容器を安定保持することができ、しかも副ホルダに下向きの力が加わっても破損する心配のないカップホルダが提供される。
【図面の簡単な説明】
【図１】本発明が適用されたカップホルダの全体斜視図
【図２】図１のカップホルダの縦断面図
【図３】副ホルダの斜視図
【符号の説明】
１  カップホルダ
２  ケース
３  灰皿
４  灰皿収容部
５  ガイドレール
６  主ホルダ
７  副ホルダ
８  フロントパネル
９  凹所
１０  隔壁
１１  底板
１２  アーチ板
１３  ねじりコイルばね
１４  螺旋突条
１５  直線突条
【図１】
0004467774.tif 000002
【図２】
0004467774.tif 000003
【図３】
0004467774.tif 000004